(57)【特許請求の範囲】
【請求項１】
互いに嵌合する第１のコネクタと第２のコネクタとを備え、前記第１のコネクタは第１のインシュレータに植設された第１のコンタクトを有し、前記第２のコネクタは第２のコンタクトと、前記第２のコンタクトを保持したベースインシュレータと、前記ベースインシュレータに摺動自在に保持されたスライドインシュレータとを備え、嵌合後に前記スライドインシュレータを前記ベースインシュレータに対して相対移動させて接続するＺＩＦコネクタにおいて、前記第１のコンタクトは、前記第２のコンタクトと接続する接触部が略く字状に形成され、前記スライドインシュレータは、前記第２のコンタクトの接触部を受け入れる収容部と、前記収容部に設けられたプリロード面とを有し、前記プリロード面に前記第２のコンタクトの接触部が当接して、前記第２のコンタクトの先端部が揃えられ、前記第１のコネクタと前記第２のコネクタとを嵌合させる際に、前記プリロード面が挿入の際に基準面となり、前記第１のコンタクトの接触部が前記プリロード面に沿って挿入されることを特徴とするＺＩＦコネクタ。
【発明の詳細な説明】
【０００１】
【発明の属する技術分野】
本発明は、ＺＩＦ(zero  insertion  force)コネクタに関し、特にスライド操作によって、接続、開放を行うことができるＺＩＦコネクタに関する。
【０００２】
【従来の技術】
図８乃至図１０は従来技術によるＺＩＦコネクタの嵌合部を示す部分断面図で、図８は嵌合前の状態を示し、図９は嵌合後の状態を示し、図１０は嵌合部の要部拡大図を示している。
【０００３】
図８を参照すると、ＺＩＦコネクタ１００は、互いに嵌合するプラグ側コネクタ１０１と、レセプタクル側コネクタ１０２とを備えている。プラグ側コネクタ１０１は、板ばね状のプラグコンタクト１０６と、プラグコンタクト１０６を保持するベースインシュレータ１０８と、図８では水平方向に沿って移動可能なスライドインシュレータ１０７とを備えている。
【０００４】
また、レセプタクル側コネクタ１０２は、インシュレータ１０３とそれに埋設保持されたレセプタクルコンタクト１０４とを備えている。
【０００５】
レセプタクルコンタクト１０４の端部は、幅方向に２分割されており、厚さ方向に互いに反対方向に曲折して略Ｕ字形状となるとともに、各々の先端部は、途中部分で、くの字状に曲折して、その間隔が狭くなるように、形成されている。
【０００６】
このようなＺＩＦコネクタ１００を嵌合するには、図８の状態から、レセプタクルコンタクト１０６と、プラグコンタクト１０４とを対向方向に嵌合させた後、スライドインシュレータ１０７をレセプタクル側コネクタ１０２と共に、プラグ側コネクタのベースインシュレータ１０８に対して相対移動させると、図９に示すように、プラグコンタクト１０４が弓なりに変形するとともに、レセプタクルコンタクト１０６の先端部とが互いに密着して、所望する接触力を得るものである。
【０００７】
【発明が解決しようとする課題】
しかしながら、前述したＺＩＦコネクタにおいて、スライドインシュレータ１０７に設けたガイド内でのプラグコンタクト１０６の全長が長く、且つ板厚が薄いため、板厚方向にふらつくという欠点を有した。そのために、レセプタクル側コネクタ１０２の挿入の際、プラグコンタクト１０６の誘い量Ａ及びＢがスライドインシュレータのガイドからとなり、誘い量を大きくすることができなかった。
【０００８】
そこで、本発明の第１の技術的課題は、レセプタクルコンタクトと、プラグコンタクトとの寸法精度やインシュレータの寸法精度を緩和することができるとともにレセプタクルコンタクトとプラグコンタクトの誘い量を増加させることができ、また、位置精度が厳しくないため、多芯数化に対応可能なＺＩＦコネクタを提供することにある。
【０００９】
また、本発明の第２の技術的課題は、レセプタクルコンタクトと、プラグコンタクトの座屈を防止することができるＺＩＦコネクタを提供することにある。
【００１０】
さらに、本発明の第３の技術的課題は、金型製作費を減少させ、コストを低減することができるＺＩＦコネクタを提供することにある。
【００１１】
【課題を解決するための手段】
本発明によれば、互いに嵌合する第１のコネクタと第２のコネクタとを備え、前記第１のコネクタは第１のインシュレータに植設された第１のコンタクトを有し、前記第２のコネクタは第２のコンタクトと、前記第２のコンタクトを保持したベースインシュレータと、前記ベースインシュレータに摺動自在に保持されたスライドインシュレータとを備え、嵌合後に前記スライドインシュレータを前記ベースインシュレータに対して相対移動させて接続するＺＩＦコネクタにおいて、前記第１のコンタクトは、前記第２のコンタクトと接続する接触部が略く字状に形成され、前記スライドインシュレータは、前記第２のコンタクトの接触部を受け入れる収容部と、前記収容部に設けられたプリロード面とを有し、前記プリロード面に前記第２のコンタクトの接触部が当接して、前記第２のコンタクトの先端部が揃えられ、前記第１のコネクタと前記第２のコネクタとを嵌合させる際に、前記プリロード面が挿入の際に基準面となり、前記第１のコンタクトの接触部が前記プリロード面に沿って挿入されることを特徴とするＺＩＦコネクタが得られる。
【００１２】
【発明の実施の形態】
以下、本発明の実施の形態について図面を参照しながら説明する。
【００１３】
図１は本発明の実施の形態によるＺＩＦコネクタを示す分解組立斜視図である。図１を参照すると、ＺＩＦコネクタ１０は、夫々互いに嵌合する第１のコネクタとしてのプラグ側コネクタ２０と、第２のコネクタとしてのレセプタクル側コネクタ３０とを備えている。プラグ側コネクタ２０は、フレキシブル配線基板４０等が装着されるベースインシュレータ２１と、ベースインシュレータ２１に対して長さ方向にスライド移動可能に設けられたスライドインシュレータ２２と、ベースインシュレータ２１に植設され、フレキシブル基板等に一端が接続されたスライドインシュレータ２２内に延在して配置された第１のコンタクトとしてのプラグコンタクト２３とを備え、また、スライドインシュレータ２２をベースインシュレータに対して長さ方向にスライドさせるためのカム部品２４とを備えている。また、スライドインシュレータ２２の側壁を形成する長さ方向の中央部には、キー溝２５が設けられている。
【００１４】
一方、レセプタクル側コネクタ３０は、細長い箱型のレセプタクルインシュレータ３と、このレセプタクルインシュレータ３に圧入された第２のコンタクトとしてのレセプタククルコンタクト４とを備えている。レセプタクルインシュレータ３の嵌合側中央部には、キー溝２５と嵌合する図示しないキーが設けられている。
【００１５】
図２、図３、及び図４は本発明の実施の形態によるＺＩＦコネクタの嵌合部を示す部分断面図である。
【００１６】
図２、図３、図４を参照すると、プラグ側コネクタ２０の開口部２８のコンタクト列の両端には、突出部２７が設けられている。更に、突出部２７の一方の端部の外側には、カム部品２４が設けられている。カム部品２４は、操作するためのレバー２４ａと、レバー２４ａによって動作するカム動作部２４ｂとを備えている。
【００１７】
一方、レセプタクル側コネクタ３０は、インシュレータ３の開口部５のコンタクト列の両端には、嵌合の際に、突出部２７と嵌合する凹部６が設けられている。
【００１８】
次に、図１に示すＺＩＦコネクタ１０の嵌合動作について説明する。
【００１９】
図２を参照すると、ＺＩＦコネクタ１０は、まず、プラグ側コネクタ２０の開口部２８にレセプタクル側コネクタ３０の開口部５を合わせ、レセプタクルコンタクト４と、プラグコンタクト２３とを嵌合する。
【００２０】
すると、図３に示すように、プラグ側コネクタ２０のプラグコンタクト２３の配列された部分の両端に設けられた突出部２７と、溝部６とが嵌合する。同様に、図示しないキー溝２５に、キーが嵌合する。これによって、スライドインシュレータ２２と、レセプタクルインシュレータ３が位置決めされて完全に嵌合する。
【００２１】
次に、カム部品２４のレバー２４ａをカムのレバー２４との接続部付近を中心軸にして、外側方向に回動させると、カム２４ｂの内側端部がスライドインシュレータ２２の壁面に当接して、レセプタクルインシュレータ３とともに固定されたベースインシュレータ２１に対して、図では右方向に相対移動させる。レセプタクルコンタクト４の先端部がプラグコンタクト２３の先端部内に収容された状態で移動して、図４に示すように、プラグコンタクト２３が弓なりに変形し、夫々のコンタクト４，２３は所望する接触力を得る。
【００２２】
図５及び図６は本発明の実施の形態によるＺＩＦコネクタのコンタクト部分を示す部分拡大断面図で、図５は嵌合前の状態、図６は嵌合後に、接触した状態を示している。図５に示すように、レセプタクルコンタクト４は、インシュレータ３に植設もしくは圧入された支持部４ｃと、支持部４ｃよりも外側に延在する端子部４ｄと、支持部４ｃより内側に向かって互いに延在し、レセプタクルコンタクト４の幅方向に分割されるとともに、厚み方向に２つに分岐して延在する第１及び第２の接触部４ａ，４ｂとを備えている。第１の接触部４ａは分岐部分から、レセプタクルコンタクト４の一面側に斜めに折れ曲がり、更に、再びコンタクト一面に沿うように曲がって延在し、更に、この一面に対して斜めにコンタクトの他面側に折れ曲がっている。第２の接触部４ｂは若干斜めに他面側に折れ曲がり、再びコンタクト面に沿うように延在し、更に、一面側に突出してＶ字形状を形成する形状となっている。２つの接触部４ａ，４ｂの内、第１の接触部４ａの方が第２の接触部よりも、コンタクトの軸方向に長くなるように形成されている。
【００２３】
一方、プラグ側コネクタ２０は、スライドインシュレータ２２の壁面及び仕切り面から櫛歯状に突出した突出部が形成され、櫛歯状に突出した突出部の一側の基準面１１側に傾斜面が設けられ、図７における左右方向の略同じ位置にプラグコンタクト２３の先端部２３ａが来るように配置されている。
【００２４】
図５に示すように、嵌合の際には、プラグ側コネクタ２０の収容部２６にレセプタクルコンタクト４の第１の接触部４ａの内側面が、プラグインシュレータ２２の櫛歯状に突出した突出部の一側の基準面１１に沿って移動する。基準面１１には、プラグコンタクト２３の先端部２３ａが揃えられており、レセプタクルコンタクト４の第１の接触部４ａが基準面に沿って挿入されたとき、接触部４ａ，４ｂ内にプラグコンタクト２３の先端部２３ａが自動的に挿入される形態となる。
【００２５】
次に、図６に示すように、スライドインシュレータ２２とともにレセプタクルインシュレータ３を、ベースインシュレータ２１に対して相対移動させると、プラグコンタクト２３の先端部２３ａがレセプタクルコンタクト４の先端部に挿入状態のままで、移動して、プラグコンタクト２３が弓なり変形するために、先端部２３と、接触部とが接触して所望する接触力を得ることができる。
【００２６】
ここで、プラグ側コネクタ２０のスライドインシュレータ２１と、レセプタクル側コネクタのインシュレータ３とを嵌合したときに、コンタクトの先端部を曲げあるいは傾斜構造として、スライドインシュレータ２２をベースインシュレータ２１に組み立てたときに、スライドインシュレータ２２に設けた基準面にコンタクトがならうように、寸法設定した構造であり、スライドインシュレータ２２に対してプラグコンタクト２３がプリロードを持っているために、ふらつかず、高い精度で位置寸法を決定することが可能である。
【００２７】
また、レセプタクル側コンタクト４と、プラグ側コンタクト２３の挿入時、十分な誘い量が得られる構造である。
【００２８】
即ち、図７において、誘い量である寸法Ｃは従来の寸法Ａ（図１０参照）よりも大きく、又、寸法Ｄを従来の寸法Ｂ（図１０参照）よりも大きく設計することができる。
【００２９】
【発明の効果】
以上説明したように、本発明によれば、レセプタクルコンタクトとプラグコンタクトの誘い量を増加させることができ、レセプタクルコンタクトと、プラグコンタクトの座屈を防止することができるＺＩＦコネクタを提供することができる。
【００３０】
また、本発明によれば、レセプタクルコンタクトと、プラグコンタクトとの寸法精度やインシュレータの寸法精度を緩和することができるとともに、位置精度が厳しくないため、多芯数化に対応可能なＺＩＦコネクタを提供することができる。
【００３１】
さらに、本発明によれば、インシュレータの形状を簡素化することができ、金型製作費を減少させ、コストを低減することができるＺＩＦコネクタを提供することができる。
【図面の簡単な説明】
【図１】本発明の実施の形態によるＺＩＦコネクタを示す斜視図である。
【図２】本発明の実施の形態によるＺＩＦコネクタの嵌合部を示す部分断面図である。
【図３】本発明の実施の形態によるＺＩＦコネクタの嵌合部を示す部分断面図である。
【図４】本発明の実施の形態によるＺＩＦコネクタの嵌合部を示す部分断面図である。
【図５】本発明の実施の形態によるＺＩＦコネクタのコンタクト部分の嵌合前の状態を示す断面図である。
【図６】本発明の実施の形態によるＺＩＦコネクタのコンタクト部分を嵌合時の状態を示す断面図である。
【図７】本発明の実施の形態によるＺＩＦコネクタのコンタクト部分のカム部品を駆動した後の状態を示す断面図である。
【図８】従来技術によるＺＩＦコネクタの嵌合前の状態を示す断面図である。
【図９】従来技術によるＺＩＦコネクタの嵌合後の状態を示す断面図である。
【図１０】従来技術によるＺＩＦコネクタの要部拡大図である。
【符号の説明】
３    レセプタクルインシュレータ
４    レセプタクルコンタクト
４ａ，４ｂ    接触部
４ｃ    支持部
４ｄ    端子部
５    開口部
１０    ＺＩＦコネクタ
１１    基準面
２０    プラグ側コネクタ
２１    ベースインシュレータ
２２    スライドインシュレータ
２３    プラグコンタクト
２３ａ    先端部
２４    カム部品
２５    キー溝
２６    収容部
３０    レセプタクル側コネクタ
４０    基板
１００    ＺＩＦコネクタ
１０１    プラグ側コネクタ
１０２    レセプタクル側コネクタ
１０３    インシュレータ
１０４    レセプタクルコンタクト
１０６    プラグコンタクト
１０７    スライドインシュレータ
１０８    ベースインシュレータ
【図１】
0003668933.tif 000002
【図２】
0003668933.tif 000003
【図３】
0003668933.tif 000004
【図４】
0003668933.tif 000005
【図５】
0003668933.tif 000006
【図６】
0003668933.tif 000007
【図７】
0003668933.tif 000008
【図８】
0003668933.tif 000009
【図９】
0003668933.tif 000010
【図１０】
0003668933.tif 000011